Podtech/llm-jp-corpus-v4-ja_patent huggingface dataset:
(57)【要約】【課題】一戸建て住宅、アパート、マンション、ビルディング、工場などにおいて、昼間であっても、北側や周囲を壁で囲まれた部屋は日当たりが悪く暗いので、昼間でも、電気照明に頼らざるを得なかった。昼間なのに電気による照明に頼らざるを得ない状況では、電気代が掛かるばかりではなく、精神衛生上の不快であり、ストレスにもつながっていたため、太陽光の自然な明るさを実現することが期待されていた。【解決手段】一戸建て住宅、アパート、マンション、ビルディング、工場などにおいて、屋根の上、または、小屋の上、あるいは、庭に、時間と共に太陽の方向を向くようにプログラミングされたパラボナアンテナ状の太陽光集光装置を設置して一箇所に集中させ、光ファイバーを通して、日当たりが悪く、暗い部屋に、天然の太陽光を供給し、その光を光分散器３で分散させて、眩し過ぎない明るさで部屋に放射する。【選択図】  図１
2006310012.tif 000002
【特許請求の範囲】
【請求項１】
屋根の上、または、小屋の上、あるいは、庭に、時間と共に太陽の方向を向くようにプログラミングされたパラボナアンテナ状の太陽光集光装置を設置し、光ファイバーを通して、北側など日当たりが悪く、暗い部屋に、天然の太陽光を供給する照明方法
【発明の詳細な説明】
【技術分野】
【０００１】
本発明は、暗い部屋に、天然の太陽光を供給する照明方法に関するものである。
【背景技術】
【０００２】
敷地面積の広い住宅では、南側は日当たりに問題ないが、天然の太陽光で十分な採光が出来ない部屋が多く出現し、昼間でも、電気照明に頼らざるを得なかった。
【発明の開示】
【発明が解決しようとする課題】
【０００３】
解決しようとする問題点は、北側など日当たりが悪く、暗い部屋に、天然の太陽光を供給して、昼間に電気照明を使用せずに部屋を明るくしようとするもので、電気エネルギーの節約のみならず、精神衛生上の不快を解消するものである。
【課題を解決するための手段】
【０００４】
本発明は、上記目的を達するために、屋根の上、または、小屋の上、あるいは、庭に、時間と共に太陽の方向を向くようにプログラミングされたパラボナアンテナ状の太陽光集光装置を設置し、光ファイバーを通して、日当たりが悪く、暗い部屋に、天然の太陽光を供給するものである。
【発明の効果】
【０００５】
本発明のシステムは、日当たりが悪く、暗い部屋に、天然の太陽光を供給して、日当たりの悪い部屋を、昼間に電気照明を使用せずに、自然な明るさの部屋にする事を可能にする。
【発明を実施するための最良の形態】
【０００６】
以下、本発明の実施の形態として、実施例を図１に基づいて説明する。
【実施例１】
【０００７】
図１は、一般住宅の屋根の上に時間と共に太陽の方向を向くようにプログラミングされたパラボナアンテナ状の太陽光集光装置１を設置して一箇所に集中させ、光ファイバー２を通して、北側など日当たりが悪く、暗い部屋に、天然の太陽光を供給し、その光を光分散器３で分散させて、眩し過ぎない明るさで部屋に放射する。
【産業上の利用可能性】
【０００８】
一戸建て住宅、アパート、マンション、ビルディング、工場、地下道、地下工事現場などで利用可能である。
【図面の簡単な説明】
【０００９】
【図１】暗い部屋に天然の太陽光を供給する照明方法の実施方法を示した説明図である。
【符号の説明】
【００１０】
１  太陽光集光装置
２  光ファイバー
３  光分散器
【図１】
2006310012.tif 000003
(57)【要約】      （修正有）【課題】真空による吸盤を使用してのチップのハンドリングにおいて、吸着したチップをリリ−スして置く時に発生する真空の反応遅れを無くして、チップの高速ハンドリングができるチップハンドラーを提供する。【解決手段】吸盤による真空吸着の代わりに、粘着テープを用いてテープの粘着力でチップを接着してハンドリングする。【選択図】図２
2006310715.tif 000002
【特許請求の範囲】
【請求項１】
チップのハンドリングに粘着テ−プを用いる。
【発明の詳細な説明】
【技術分野】
【０００１】本発明は、チップのハンドリングに関する。
【背景技術】
【０００２】従来チップをハンドリングするには
▲１▼チップに吸盤を接する
▲２▼吸盤を真空にする
▲３▼吸盤を持上げ、所定の位置へ移動する
▲４▼吸盤、下降し、置く位置の表面にチップが接する
▲５▼吸盤の真空を遮断する
▲６▼吸盤に微量の低圧空を注入しながら、上昇する
これでチップハンドリング完了
以上、一連の動作が必要になる
この中で、▲２▼▲５▼▲６▼が、時間がかかりチップハンドリング高速化の障害になっていた
【発明が解決しようとする課題】
【０００３】前記▲２▼▲５▼▲６▼の時間をなくす
【課題を解決するための手段】
【０００４】吸盤に依る真空吸着の代わりに、粘着テ−プを用いてテ−プの粘着力でチップを接着してハンドリングする
【発明を実施するための最良の形態】
【０００５】発明の実施の形態を実施例にもとずき図１，２，３で説明する
図１はこの装置の構成図である
各機構の構造は以下の通りである
（１）チップリング
リングにＵＶテ−プが貼られ、その粘着面に、これからハンドリングしようとする、チップが貼り付けられている
これを本体にセットする時点では、すでにＵＶテ−プにはＵＶが照射され、粘着力は低くなっている
（２）搬送テ−プ（粘着テ−プ）
透明テ−プのベルトコンベア−形状で、その下面が粘着面である
この粘着面にチップを接着しハンドリングする
（３）移転ユニット  図２
チップリングの上方と、トレイテ−プの上方の２箇所にある
チップリングの上方ではチップリングのチップを、ひとつずつ搬送テ−プに移転する
トレイテ−プの上方では、搬送テ−プのチップをトレイテ−プに移転する
移転は各機構のテ−プの粘着力の違いを利用する
すなわち  各粘着力は
チップリングの粘着力  ＜  搬送テープの粘着力＜  トレイテ−プの粘着力
の関係にある
（４）測定ユニット
ここでは、チップにプロ−ブをコンタクトさせ、通電して発光させる
その光を受光素子に、取り込み光パワ−の測定をする
（５）トレイテ−プ
１枚の大きな粘着テ−プが貼られている、トレイ（板状）である
これがＸ−Ｙに動いて、図ではチップを１６分類して貼り付ける
（６）カメラ
２箇所ついている
チップリング上のものはチップリングのチップを、ひとつ選び出すのに使用し、測定ユニット上のものは、測定しようとするチップの位置を検出する
各タイミングにおける動作は下記のとうり
▲１▼チップリングＸ−Ｙ動とチップリング上カメラとでチップをひとつ選び出す
図４▲２▼プッシャ−下降して搬送テ−プをチップに接着させる
同時にセパレ−タ−も下降する
▲３▼プッシャ−とセパレ−タ−上昇する
このようにしてチップリングのチップを、ひとつずつ連続して搬送テ−プに移転させる
▲２▼測定ユニットでは、搬送テ−プに接着されて流れてきたチップの位置を検出し、それによりプロ−ブの降りる位置を合せてプロ−ビングし光パワ−を測定する
測定デ−タ−に基ずいて、そのチップの分類アドレスを決める
▲３▼トレイテ−プ上の移転ユニットに達したチップの分類アドレスは何か、そのデ−タ−に依ってトレイテ−プのＸ−Ｙは動作し置く位置を合せる
図５▲２▼プッシャ−下降し搬送テ−プに接着しているチップの底面をトレイテ−プに接着させる
セパレ−タ−も下降する
▲３▼プッシャ−、セパレ−タ−、上昇する
【発明の効果】
【０００６】従来チップをハンドリングするには真空による吸盤を使用していたが吸着したチップをリリ−スして置く時に、真空の反応遅れが発生しこれがチップ高速ハンドリング化の障害になっていた
本装置では真空は使用しないので、この遅れ時間が無くなった
【図面の簡単な説明】
【図１】今回の発明の構成図
【図２】移転ユニット構成図
【図３】測定ユニット構成図
【図４】移転ユニット（チップリング上）動作図
【図５】移転ユニット（トレイテ−プ上）動作図
【図１】
2006310715.tif 000003
【図２】
2006310715.tif 000004
【図３】
2006310715.tif 000005
【図４】
2006310715.tif 000006
【図５】
2006310715.tif 000007
(57)【要約】【課題】ゲイン切り替え機能を有するオペアンプにおいて、オペアンプ１段構成では、ゲイン切り替えの段数が増えるほど、それぞれのゲインに合わせたＡＣ特性の調整が難しくなっている。【解決手段】非反転増幅回路の抵抗に複数の容量が並列に接続されたＡＣ特性切り替え回路であって、容量のひとつにコレクタを、基準電圧にエミッタを、定電流源にベースをそれぞれ接続されたＮＰＮトランジスタを有し、定電流源の駆動電流によりＮＰＮトランジスタをオン・オフさせ、複数の容量の接続を切り替えて、ＡＣ特性を切り替える。【選択図】図１
2006310915.tif 000002
【特許請求の範囲】
【請求項１】
非反転増幅回路の抵抗に複数の容量が並列に接続されたＡＣ特性切り替え回路であって、前記容量のひとつにコレクタを、基準電圧にエミッタを、定電流源にベースをそれぞれ接続されたＮＰＮトランジスタを有し、前記定電流源の駆動電流により前記ＮＰＮトランジスタをオン・オフさせ、複数の前記容量の接続を切り替えて、ＡＣ特性を切り替えることを特徴とするＡＣ特性切り替え回路。
【発明の詳細な説明】
【技術分野】
【０００１】
本発明は光ディスクのピックアップなどに用いられる増幅回路のＡＣ特性切り替え回路に関するものである。
【背景技術】
【０００２】
近年、光ディスクの信号読み取りに使用する受光増幅回路は記録時と再生時とでレーザーの光パワーが異なるため、オペアンプのゲイン抵抗を切り替えて出力を調節する構成が主流となっている。
【０００３】
従来のゲイン切り替え方法として、ＰＮＰトランジスタをスイッチとして用いたゲイン切り替え回路が検討されている（例えば、特許文献１参照）。図２に特許文献１の入力部定電流源の代わりに受光素子２０１を接続し、またオフセット回路を省略した回路を示す。図２の回路の動作原理を説明する。まず光入力により受光素子２０１において光電流Ｉが流れ、その光電流Ｉによってゲインを決定する抵抗２０２、２０３により電圧変換された出力を得ることができる。この例ではＰＮＰトランジスタ２０５のベース電流を制御してＰＮＰトランジスタ２０５をオン・オフさせ、ゲインはオフ時は抵抗２０２で決まり、オン時は抵抗２０２と抵抗２０３との合成抵抗で決まる。このようにスイッチを増やした分だけ、複数のゲイン切り替えが可能となる。
【特許文献１】特開２０００−３１７６４号公報
【発明の開示】
【発明が解決しようとする課題】
【０００４】
しかしながらゲイン切り替え数、つまりゲインの異なる出力が増加するに従って、ＡＣ的な特性の調整も各出力レベルについてそれぞれ必要となる。通常、ＡＣ特性の調節はフィードバック抵抗と並列に挿入する容量、あるいはオペアンプ内部の位相補償容量の調節で行う。しかしながら、オペアンプの１段構成では、ゲイン切り替えの段数が増えた場合、フィードバック抵抗と並列に接続された容量の調節は可能であるが、オペアンプ内部の位相補償容量は固定であるため、それぞれのゲインに合わせたＡＣ特性の調整が難しくなるという課題を有していた。
【課題を解決するための手段】
【０００５】
上記課題を解決するために、本発明は、非反転増幅回路の抵抗に複数の容量が並列に接続されたＡＣ特性切り替え回路であって、容量のひとつにコレクタを、基準電圧にエミッタを、定電流源にベースをそれぞれ接続されたＮＰＮトランジスタを有し、定電流源の駆動電流によりＮＰＮトランジスタをオン・オフさせ、複数の容量の接続を切り替えて、ＡＣ特性を切り替えることを特徴とする。
【発明の効果】
【０００６】
本発明によれば、ＮＰＮトランジスタを用いたスイッチ回路を有した非反転増幅回路において、容量を切り替えることで、各出力に適したＡＣ特性に切り替えることが可能となる。またアンプ回路自体の切り替えではないことから、ゲイン切り替え数が増加しても、次段アンプは１つのみでよいため、ゲイン切り替え数増加に伴うチップ面積の増加は最小限に抑えることができる。
【発明を実施するための最良の形態】
【０００７】
以下、本発明の実施の形態を、図面を参照しながら説明する。
【０００８】
図１は本発明のＡＣ特性切り替え回路の簡略図である。図１に示すように、非反転増幅回路（ＯＰアンプ、抵抗１０１、フィードバック抵抗１０５）に、容量１０２、１０３とＮＰＮトランジスタ１０４とが接続された回路となる。ＡＣ特性の中でも最重要である周波数特性、パルス応答特性は、各ゲインによって必要とされる特性が異なる。つまり、周波数特性においてはピーキング(盛り上がり)を作り、遮断周波数帯域を高周波側にのばす必要があるが、逆にパルス応答特性においては周波数特性でピーキングがあるとアンダーシュートやオーバーシュートが出来やすくパルス電圧の安定が悪くなるため、ピーキングを抑えた特性を必要とする。この２つの特性を両立させることが難しい。そこで本回路の容量１０２、１０３をスイッチで切り替えることにより、周波数特性のピーキングを調節でき、各ゲインに適した容量を選択することができる。この回路を以下に説明する。基準電圧１０６側に抵抗１０１と並列に接続されたＡＣ特性切り替えのための容量１０２、１０３を配置する。容量１０３と同じ配線上にエミッタを基準電圧１０６側、コレクタを容量１０３側、ベースを定電流源１０７側に接続したＮＰＮトランジスタ１０４を設ける。定電流源１０７が電流０のときＮＰＮトランジスタ１０４はオフとなり、ＤＣ的にもＡＣ的にもオープンとなる。また定電流源１０７の電流を十分に与えることで、ＮＰＮトランジスタ１０４がオンとなり、ＤＣ的には容量１０３のラインはオープンとなるが、ＡＣ的には容量１０２と１０３の合成容量値となり動作する。従って、スイッチのＮＰＮトランジスタ１０４により必要な容量値を作り出すことで、ＡＣ特性を切り替えることが可能となる。
【産業上の利用可能性】
【０００９】
本発明に係るＡＣ特性切り替え回路は、ゲイン切り替えなどによる出力の増加時において、ＡＣ特性の調整に有用である。
【図面の簡単な説明】
【００１０】
【図１】本発明の実施形態におけるＡＣ特性切り替え回路の回路図
【図２】従来のＰＮＰトランジスタを用いたゲイン切り替え受光増幅回路の回路図
【符号の説明】
【００１１】
１０１  抵抗
１０２  容量
１０３  容量
１０４  ＮＰＮトランジスタ
１０５  フィードバック抵抗
１０６  基準電圧
１０７  定電流源
【図１】
2006310915.tif 000003
【図２】
2006310915.tif 000004
(57)【要約】 【課題】  青色発光ダイオードなどの単結晶基板は単結晶基板の反対側方向に両端子が導出されているため、面積を小さくすることが出来ない。【解決手段】  本発明では、単結晶基板にスルーホールやビアホールまたは側面電極により端子を基板下方面に引き出して、外部電極として上部電極と下部電極とに分けたので、素子の単位面積が小さくなり、小型化を実現できた。【選択図】  図 １
2006310641.tif 000002
【特許請求の範囲】
【請求項１】
単結晶基板に薄膜を積層してなる半導体発光素子において、２つの外部端子が該半導体発光素子の対向する面にそれぞれ配置されたことを特徴とする半導体発光素子。
【請求項２】
請求項１において、該単結晶基板面を外部端子とするために導通させる導通路を該結晶基板にスルーホールまたはビアホールを設けて接続したことを特徴とする半導体発光素子。
【請求項３】
請求項１において、該単結晶基板面を外部端子とするために導通させる導通路を該結晶基板の側面に電極を設けて接続したことを特徴とする半導体光学素子。
【発明の詳細な説明】
【技術分野】
【０００１】
本発明は、小型化した化合物半導体光学素子の端子構造に関する。
【背景技術】
【０００２】
半導体発光素子として窒化ガリウム等を用いて青色発光ダイオードを製造する際の基板として、サファイア基板や水晶基板等の単結晶基板が使用される。単結晶基板の上にＭＯＣＶＤによりエピタキシャル成長させ、多結晶または非晶質のＡｌＮバッファ層や低温成長ＧａＮバッファ層を形成している。
【０００３】
しかし単結晶基板上に積層された結晶膜の上に外部電極を形成しているが、このような構造では単結晶基板と反対側の面の同一方向に外部電極が形成されるため、ひとつひとつの発光素子の大きさを小さくするのに限度がある。一枚の単結晶基板から取れる発光素子の数を少しでも多くし、単価を少なくすることにより、安価な発光素子が提供できる。
【０００４】
そこで一枚の単結晶基板から少しでも取り数の多い構造にすることが求められている。
【０００５】
【特許文献１】特開平１１−７９８９７号公報
【特許文献２】特開２０００−５８９１２号公報
【特許文献３】特開２００２−１８５０４２号公報
【０００６】
なお出願人は前記した先行技術文献情報で特定される先行技術文献以外には、本発明に関連する先行技術文献を、本件出願時までに発見するに至らなかった。 
【発明の開示】
【発明が解決しようとする課題】
【０００７】
本発明が解決しようとする課題は、ひとつの発光素子の面積を小さくして、同一単結晶基板からの取り数を多くすることにある。そのためには外部端子の取り出し方を変えることが必要となる。
【０００８】
特許文献１には、窒化ガリウム厚膜（ＧａＮ）の結晶成長方法で、基板にＺカット水晶板を用いた例が示されている。図２は、一般的な窒化ガリウムを用いた発光ダイオードの構造の断面図である。
水晶基板上にバッファ層、さらに窒化ガリウム結晶を積層し、さらにＩｎＧａＮを積層している。
特許文献２、特許文献３には、Ｚカット水晶板を用いた「半導体発光素子」が示されている。
上記従来技術の構造では、外部端子を図上部の面からアノード、カソード端子を取り出している。しかしこの構造では、少なくとも端子２つ分の面積が必要となるため、小型化することはできない。
【課題を解決するための手段】
【０００９】
そこで本発明では、単結晶基板に薄膜を積層してなる半導体発光素子において、２つの外部端子が該半導体発光素子の対向する面にそれぞれ配置された半導体発光素子であり、単結晶基板の上に積層し上部に電極を設けるとともに、単結晶基板の側面または内部にスルーホールまたはビアホールを設けて、単結晶基板の積層膜面と反対側の面に他方の電極を設けている。
【発明の効果】
【００１０】
本発明によって、単結晶基板の対向する面側同士に外部電極を配置できるため、最低端子の面積があれば発光素子としての機能を果たすことが出来、より小型化した発光素子を実現出来る。
【発明を実施するための最良の形態】
【００１１】
本発明は、単結晶基板上にエピタキシャル成長により結晶を成長させた半導体光学素子であり、２つの外部端子が該半導体発光素子の対向する面にそれぞれ配置させている。
【実施例】
【００１２】
以下、図面を参照しながら実施例を説明する。
図１は、本発明の実施例を示す断面図である。結晶基板１は、水晶やサファイア基板である。結晶基板１上にバッファ層２、チッ化ガリウム層３の上にさらにAlGaN層４やInGaN層５等の薄膜を形成し、さらにGaN膜６上に導電膜１０を形成して出力している。一方の電極１１は、結晶基板１の下側に設けている。結晶基板１には予めスルーホール１２を形成し、GaN層３と導通させている。ここではスルーホールを例に挙げたが、ビアホールにより導通をとってもよい。
これにより従来２つの導通端子を図では上側に２つ並べていたため、発光素子のチップの小型化が出来なかったが、本発明により発光素子の小型化を実現することが出来た。
【００１３】
従って本発明は、導通端子の出力面が結晶基板に対して反対側に形成することにより、端子の占める面積を小さくし、発光素子を小型化することが出来た。
【００１４】
またさらに他の実施例を図２を用いて説明する。
図２は、図１同様単結晶基板１上にバッファ層２、チッ化ガリウム層３の上にさらにAlGaN層４やInGaN層５等の薄膜を形成し、さらにGaN膜６上に導電膜１０を形成して出力している。一方の電極１１は、単結晶基板１の下側に設けている。
GaN層と結晶基板１の下面に設けた電極１１との導通は、結晶基板１の側面に電極１３を配置し、実現している。これにより図１の実施例と同様、導通端子を単結晶基板に対して一方面にのみ設けることなく、両側方向に設けているので、発光素子のチップサイズを小型化することが出来るようになった。
【産業上の利用可能性】
【００１５】
本発明の構造は、他の半導体発光素子を小型化する際にも場合も利用することができる。
【図面の簡単な説明】
【００１６】
【図１】図１は、本発明の第一実施例を示す構造断面図である。
【図２】図２は、本発明の第二実施例を示す構造断面図である。
【図３】図３は、従来の構造断面図を示す。
【符号の説明】
【００１７】
１    結晶基板
３    GaN膜
１０    電極
１１    電極
１２    スールーホール
１３    側面電極
【図１】
2006310641.tif 000003
【図２】
2006310641.tif 000004
【図３】
2006310641.tif 000005
(57)【要約】      （修正有）【課題】山砂を主原料に用いた抗菌剤とその加工方法の提供。【解決手段】《Ｉ》山砂を高温で焼き、製粉機で、任意のミクロン単位の大きさの微粒子に製粉することを特長とする抗菌剤。《ＩＩ》イ）（Ｉ）の抗菌剤を、糊料に均一に混合して、溶剤を加え、染料のような溶液にする。ロ）（イ）の染料のような溶液を、織布や不織布のような基布に刷るように均一に塗布、付着させる。ハ）次に、（ロ）のように付着させた基布を乾燥させる。以上のことを特徴とする加工方法。【選択図】      なし【特許請求の範囲】
【請求項１】
山砂を高温で焼き、製粉機で、任意のミクロン単位の大きさの微粒子に製粉することを特長とする抗菌剤。
【請求項２】
イ）（請求項１）の抗菌剤を、糊料に均一に混合して、溶剤を加え、染料のような溶液にする。
ロ）（イ）の染料のような溶液を、織布や不織布のような基布に刷るように均一に塗布、付着させる。
ハ）次に、（ロ）のように付着させた基布を乾燥させる。
ニ）以上のことを特長とする加工方法。
以上のごとく構成された、山砂を主原料に用いた抗菌剤とその加工方法に関するものである。
【発明の詳細な説明】
【発明の詳細な説明】
【技術分野】
【０００１】  この発明は、高温で焼いた山砂をミクロン単位の微粒子に製粉して、抗菌剤にする。
それに糊料と溶剤を混ぜ、染料のような溶液にして、基布に刷るように均一に塗布、付着させ、乾燥した、山砂を主原料に用いた抗菌剤とその加工方法に関するものである。
【背景技術】
【０００２】  従来より、抗菌処理は殺菌剤のような化学薬品を主力にした方法が主であったが、薬品の強い毒性によって、人体のアレルギーの原因になったり、場合によっては、中毒になったりと、安全面で問題を残していた。
更に、化学薬品を使用しているうちに細菌類も耐性を持ち、抗菌力が失われる場合もあり、更に強い薬品の開発と、耐性を持とうと進化する細菌との競争が、際限なくエスカレートしていった。
そのため、人体にも安全な、毒性の少なく、安心できる技術が求められている。
【発明が解決しようとする課題】
【０００３】従来、次のような課題があった。
イ）強い毒性を持った化学薬品は、人体のアレルギーの原因や、中毒などの副作用がある。
ロ）化学薬品による殺菌、抗菌は、耐性を持った細菌をつくり、より強い化学薬品の開発と、それに対する耐性を作ろうとする細菌の競争を限りなくエスカレートさせる。
ハ）人体に安全な、毒性の少ない、安心できる技術が求められている。
【課題を解決しようとする手段】
【０００４】以下、本発明の課題を解決するための手段を説明する。
《Ｉ》
山砂を高温で焼き、製粉機で、任意のミクロン単位の大きさの微粒子に製粉することを特長とする抗菌剤。
《ＩＩ》
イ）（Ｉ）の抗菌剤を、糊料に均一に混合して、溶剤を加え、染料のような溶液にする。
ロ）（イ）の染料のような溶液を、織布や不織布のような基布に刷るように均一に塗布、付着させる。
ハ）次に、（ロ）のように付着させた基布を乾燥させる。
ニ）以上のことを特長とする加工方法。
本発明は以上のような構成よりなる、山砂を主原料に用いた抗菌剤とその加工方法に関するものである。
【発明を実施するための最良の形態】
【０００５】  以下、本発明の実施の形態を説明する。
山砂を高温で焼き、有機物、細菌類を焼却、除去する。
更に、ジェットミルのような空気の対流を利用した、ミクロン単位の微細な粉末を製造する製粉機で、ミクロン単位の微粒子にする。
出来た山砂のミクロン単位の微粒子を、糊料と溶剤に混ぜ、染料のような混合溶液を作る。
染色と同じ工程で、その溶液を基布に刷るように塗りつけ、乾燥させる。
そのため、山砂の粒度は、顔料と同じぐらい、ミクロン単位の細かい粉末状である方が良い。
この山砂の成分には二酸化チタンが微量に含まれていた。
そうして出来た、山砂を微粒子にして、均一に塗布した布地は、実施例として、その布地の上で、大腸菌を培養する条件、生菌、培養カンテン、培養温度を与えても、大腸菌の増殖はなかった。
更に、この布地を牛舎に張ると、臭気が薄れたと報告があった。
又、更に実施例として、この布地で包んだ食パンを自然環境で放置しても、６ケ月間、腐敗しなかったとの報告もあった。
又、別の実施例として、この布地を肌身に着けると、腰痛等の痛みが薄れ、大変、暖かいと報告が多い。
明確ではないが、これは、焼いた山砂が微粒子になって、自然に含まれていた二酸化チタン成分の光触媒に近い作用による効果と遠赤外線のセラミック効果の複合作用と考えられる。
更に実施例として、基布が、織布、不織布でも、紙でも、ゴムでも、塗布出来る素材であれば、材質を問わず、木材でも、ビニールのような化学製品でも、糊料と溶剤を変えて、スクリーン印刷の方法や捺染ロールを用いたプリントも可能である。
又、更にプラスチックの成分を混入させたり、陶器や磁器の原料に混入させても良い。
又、フィルム等に含有加工して、貼りつけても効果がある。
【発明の効果】
【０００６】  この発明の効果を説明する。
この発明の技術によって、安全で、毒性が少なく、コストが安く、幅広い分野に利用出来る、価値の高い商品を生み出すことが可能となる。
なお、山砂の成分に二酸化チタンが含まれていない場合には、二酸化チタンを加えても良い。
実施例として更に、抗菌塗料として、吹き付け塗装方法で、病院や学校のような床、壁の建築物、駅やバス等の公共の待合所、デパートやスーパーのような店の土間、外壁といった土木分野でも利用出来る。
汚れによって抗菌作用が薄れた場合でも、再塗装は容易である。
又、更に簡単な方法は、商品のドブ漬けのような浸し漬けでも良い。
このように、自然の鉱物の集合体である山砂を原料にして作られる抗菌剤は安全と安心、毒性もなく、副作用もなく、人体影響に一番優しいと考える。
更に、鉱物が持つ安定した持続力で、長期に及び効果があるし、一時的な抗菌作用を持つに過ぎない化学薬品とは異なる、新しい技術である。
最近発生している感染系病原体の蔓延は、老人ホームや病院、託児所といった集団生活においての、保菌者となった老人、子供の食べ残しや排泄物による二次感染が大半を占めるため、実施例として、紙オムツ、衣類、食器、トイレ、ゴミ箱等に利用すれば、感染を防ぐ手だてとしてなりうる。
又、それに限らず、病室などの、床、壁、ドアにも施工出来る汎用性の高さを持つ。
更には、トイレットペーパーにも、包帯にも加工が出来るし、感染系病原体に限らず、広い意味での抗菌作用を生かすのであれば、カバンやバック、布袋といった、普段持ち歩く物への加工や、バス、列車といった、不特定多数が数多く利用する公共の施設での座席、つり革等にも施工出来る。
その他、食品や野菜の保存紙袋、ゴミ袋にも使用出来るし、畜舎、調理室にも施行出来る。
加工が容易で、汎用性が高く、しかも安いコストで提供出来る、安全な方法と考えられる。
(57)【要約】【課題】寝間着の腰ゴムによる腹部の締め付けは、寝つきが悪いだけでなく、小腸の活動を低下させ、免疫機能やストレスを増加させ、また、大腸の活動も低下させ、便秘などの症状を招く原因にもなっている。さらには、高齢者や高血圧の方々には、脳梗塞、心筋梗塞などの遠因ともなりうる。【解決手段】寝間着の腰ゴムによる腹部への締付けを無くすために、身体の胴回りより大きな円筒状にした腹帯を、下着と腹部の間に付け、空間をつくることにより、就寝中、胴部への圧迫を無くすことを特徴とする健康腹帯を考案した。【選択図】図１
2006225781.tif 000002
【特許請求の範囲】
【請求項１】
下着やパジャマなどの腰紐やゴムによる身体胴部への締付けを軽減あるいは無くすために、身体の胴回りより大きな円筒状にした腹帯を、下着と腹部の間に付け、空間をつくることにより、就寝中、胴部への圧迫を無くすことを特徴とする健康腹帯。
【請求項２】
身体の胴回りより大きな円筒状にした腹帯は、個人のウエスト長によりその長さを調整することができ、下着やパジャマなどの腰紐やゴムによる身体胴部への締付けを軽減あるいは無くすことができる程度の弾力強度がある材質や構造からなっていることを特徴とする請求項１記載の健康腹帯。
【請求項３】
身体の胴回りより大きな円筒状にした腹帯は、磁性を帯びた箇所又は、および凸部を設けた箇所をつくることにより、血行を良くすることを特徴とする請求項１記載の健康腹帯。
【発明の詳細な説明】
【技術分野】
【０００１】
この発明は、下着やパジャマなどの腰紐やゴムによる身体胴部への締付けを軽減あるいは無くすための腹帯に関する。
【背景技術】
【０００２】
睡眠文化研究所の冬のアンケートによると、就寝するときの寝間着は、パジャマやトレナーやジャージを愛用している者が９１％を占めるとのことである。しかし、これらの寝間着は、いずれも胴部を締め付け、眠りを妨げている。
【０００３】
【特許文献１】特開平１０−２４５７０１号公報
【発明の開示】
【発明が解決しようとする課題】
【０００４】
神戸女子大の平田耕造教授によると、「眠りにつくには体温が下がることが必要で、体の熱をうまく放散させて早く体温を下げた方が速やかに眠りにつける」とのことである。特開平１０−２４５７０１号の空気袋を付けた方法では、熱や汗を逃がすことができず、十分な眠りの効果は期待できない。
【０００５】
また、腹部の常時圧迫は第二の神経といわれている小腸の活動を低下させ、免疫機能やストレスを増加させる原因の１つとなっている。さらには、大腸の活動も低下させ、便秘などの症状を招く原因にもなっている。高齢者や高血圧の方々には、脳梗塞、心筋梗塞などの遠因ともなる。
【０００６】
こうしたことから、高齢者や高血圧の方々のみならず、若い世代や美容にも健康上、悪影響を与えると言える。
【０００７】
そこで、この発明は、下着やパジャマなどの腰紐やゴムによる身体胴部への締付けを軽減あるいは無くし、血行をよくし、体の熱をうまく放散させて早く体温を下げ、また、身体の内臓機能を活発にし、健康的な生活を送れるよう工夫した腹帯を提供する。
【課題を解決するための手段】
【０００８】
以上の課題を解決するために、本発明は、下着やパジャマなどの腰紐やゴムによる身体胴部への締付けを軽減あるいは無くすために、身体の胴回りより大きな円筒状にした腹帯を、下着と腹部の間に付け、空間をつくることにより、就寝中、胴部への圧迫を無くすことを特徴とする健康腹帯を考案した。
【０００９】
さらに、詳しくは、以下、順に説明する。
本健康腹帯は、身体の胴回りより大きな円筒状にした腹帯で、個人のウエスト長によりその長さを調整することができる。留具はボタン式やベルト式など、円筒状にした腹帯をしっかり固定するものであれば、方法を問わない。
【００１０】
また、下着やパジャマなどの腰紐やゴムによる身体胴部への締付けを軽減あるいは無くすことができる程度の弾力強度がある素材や構造からなっている。
【００１１】
素材では、厚紙やプラスチックなどの芯材、それをカバーする外材には、繊維やスポンジ材が好ましく、じかに腰部の皮膚と接するため、安全で、肌触りのよいものを使用する。
構造では、全体の構造を保持できるよう腰帯の幅を広くしたり、腹帯の脇部に肉厚にすることが考えられる。
【００１２】
本健康腹帯の着け方は、まず、自分の胴回りより５から２０センチメートル程度長くなるように調整した腹帯を、腰部肌の直に体に巻く。次に、寝間着上衣を腹帯の上に置き、さらに、その上からパンツやズボンの寝間着下衣を重ねれば、ずり落ちることも無く固定できる。
【発明の効果】
【００１３】
こうして、下着やパジャマなどの腰紐やゴムによる身体胴部への締付けを軽減あるいは無くすことにより、血行をよくし、体の熱をうまく放散させて早く体温を下げ、眠りにつくことができる。
【００１４】
また、圧迫から開放され、血行をよくなることにより、小腸、大腸などの内臓機能を活発にし、健康的な生活を送れるようになる。
【発明を実施するための最良の形態】
【００１５】
以下、この発明の実施形態の１例を、図１から図３に基づいて詳細に説明する。
図１に示すように、本健康腹帯（１）は、身体の胴回りより大きな円筒状にした腹帯で、個人のウエスト長によりその長さを、図２の帯状の状態から留具凸（２）を留具凹（３）の穴に差込みなどにより調整して留め、円筒状にする。
【００１６】
その際、弾力強度がある構造を保持するために、腹帯側面（４）を肉厚にして円筒状を維持できるようになっている。
【００１７】
図３は実施に本健康腹帯を着けた状態を示すもので、寝間着上衣（５）を腹帯の上に重ね、さらに、その上から寝間着下衣（６）を重ねれば、ずり落ちることも無く固定できる。
【図面の簡単な説明】
【００１８】
【図１】本健康腹帯の組み立てた概観図である。
【図２】本健康腹帯の上および前から見た概観図で、一部断面図である。
【図３】本健康腹帯の使用状態を示す概観図である。
【符号の説明】
【００１９】
腰帯（１）、留具（凸）（２）、留具（凹）（３）、腰帯側部（４）、寝間着上衣（５）、寝間着下衣（６）、ベット（７）、まくら（８）
【図１】
2006225781.tif 000003
【図２】
2006225781.tif 000004
【図３】
2006225781.tif 000005
(57)【要約】【課題】  紙、繊維に防炎効果を付与する加工方法、特に居住空間に安心して使用される紙、繊維を燃え難くする防炎加工方法を提供する。【解決手段】  （Ａ）にがり（塩分を含んだ水）、（Ｂ）ホウ酸、ホウ酸ナトリウム、ホウ酸カリウムから選らばれるｌ種以上のホウ酸類、を担持させることを特徴とする。【選択図】    なし【特許請求の範囲】
【請求項１】
紙あるいは繊維に、（Ａ）にがり（塩分を含んだ水）、（Ｂ）ホウ酸、ホウ酸ナトリウム、ホウ酸カリウムから選らばれる１種以上のホウ酸類を担持させることを特徴とする防炎加工方法。
【発明の詳細な説明】
【発明の詳細な説明】
【技術分野】
【０００１】  本発明は、紙、繊維に防炎効果を付与する加工方法、特に居住空間に使用される紙、繊維を燃え難くする防炎加工方法に関する。
【背景技術】
【０００２】  ふすま、障子、壁紙、カーテンなど居住空間内装に使用される紙、繊維は、燃え難いことが重要な要素である。【０００３】  また、居住空間内装に使用される紙、繊維には、燃え難いことが望まれ、特に不特定多数の人の出入りする場所には、不燃あるいは防炎は必須の要件でもある。
【発明が解決しようとする課題】
【０００４】  本発明は、紙、繊維類の燃え難い効果を示し、居住空間に安心して用いることができる防炎加工方法を提供する。
【課題を解決するための手段】
【０００５】  かかる目的を達すべく、請求項１の発明は、紙あるいは繊維の防炎加工方法であり、（Ａ）にがり（塩分を含んだ水）、（Ｂ）ホウ酸、ホウ酸ナトリウム、ホウ酸カリウムから選らばれるｌ種以上のホウ酸類を担持させることを特徴とする。
【発明を実施するための最良の形態】
【０００６】  本発明は紙、繊維に防炎の効果を付与する方法である。尚、本発明が対象とする繊維は、天然繊維、合成繊維のいずれも包含し、また繊維の形態では、織布、不織布のいずれも包含する。【０００７】  本発明の実施の形態は、紙、繊維に、（Ａ）にがり（塩分を含んだ水）、（Ｂ）ホウ酸、ホウ酸ナトリウム、ホウ酸カリウムから選らばれるｌ種以上のホウ酸類を担持させることからなっている。【０００８】    ホウ酸類の担持方法は、ホウ酸類は水溶液にして、この中に目的とする紙、繊維の成形物を含浸させる。この時、ホウ酸類水溶液濃度は任意であるが、濃度の高い程効率よく実施できる。通常、ホウ酸類の溶解度を考慮すれば、２〜５重量％水溶液として用いる。溶解度が不充分なときは、加熱して用いてもよい。【０００９】  紙、繊維上のホウ酸類の担持量は、紙、繊維の形状により大きく変わり、一律に決められるものではないが、実用的には通常紙、繊維に対し、３，０００〜１０，０００ｐｐｍである。ホウ酸類の量がこの範囲より小さいと、効果が充分でないことがある。またこの範囲より多いことは、他の物性上など障害が出ない範囲であれば何ら差し支えないが、担持量の割りには効果の出現が少なく、経済的にみて不利なことがある。【００１０】  ホウ酸類は防炎効果があり、紙に対しては防炎効果を付与出来るという利点を得ることができる。防炎効果については、担持量は多い程その効果の発現が大きく期待できる。【００１１】  にがり（塩分を含んだ水）も防炎効果があり、にがり（塩分を含んだ水）も身近にあるものなので容易に入手できる。
【実施例】  化学実験用ろ紙を水中で解し、かゆ状にし、この中に所定量のにがり（塩分を含んだ水（濃度３％））、ホウ酸を加えた後、シート状に広げて水を蒸発乾燥させ、上からプレスして、ホウ酸を担持させたシート状試料とした。
ホウ酸：市販の試薬を使用した。【００１２】  このシート状試料を、ガスバーナーで燃焼させた。燃焼温度は８００℃である。【００１３】    この結果から、本発明のにがり（塩分を含んだ水）、ホウ酸を担持させることにより、２つの成分が補い合って相乗効果的燃え難くなったことが認められた。
【発明の効果】
【００１４】  本発明の方法により、紙、繊維が燃え上がることなく、バーナーがあたっているところは、赤くなるだけで燃えず、バーナーを離すと直ちに赤みが消え、炭状になった。よって防炎効果があることが解る。
(57)【要約】      （修正有）【課題】      単純な構造で自発光により自動変色する造花を提供する。【解決方法】  フルカラーＬＥＤ１（３色点滅ＬＥＤ、７色点滅ＬＥＤを含む）を白い花弁の造花に組み込み、電池２もしくはＡＣアダプタ等の電源スイッチ６付き電源回路にて、花弁５を自動変色させる。【選択図】    図２
2006225823.tif 000002
【特許請求の範囲】
【請求項１】
フルカラーＬＥＤを造花に組み込んで成る変色造花
【請求項２】
３色点滅ＬＥＤを造花に組み込んで成る変色造花
【請求項３】
７色点滅ＬＥＤを造花に組み込んで成る変色造花
【発明の詳細な説明】
【発明の詳細な説明】
【技術分野】
【０００１】  本発明は、自発光装飾造花に関するものである。
【背景技術】
【０００２】  従来の自発光装飾造花は特開平１１−１８１６１１や、特開２００３−２８６６０８に見られるように特定色の、電球もしくはＬＥＤが点灯し、植え替えが可能な造花、もしくは特開２００３−２８６９０９の様に複雑な電子回路を植木鉢に内蔵して所定の点滅パターンを繰り返すものであった。
【発明が解決しようとする課題】
【０００３】  単純な構造で、造花の色が自動的に変色する変色造花の提供を課題とする。
【課題を解決するための手段】
【０００４】  フルカラーＬＥＤ、３色点滅ＬＥＤ、７色点滅ＬＥＤ（１）（以下単にフルカラーＬＥＤと言う）を造花の中に組み込み、電池（２）もしくはＡＣアダプター（３）等の、電源回路にて点灯するのを手段とする。
【発明を実施するための最良の形態】
【０００５】
【０００６】以下、本発明の実施の形態を図示例に基づいて説明する。【０００７】  実施例外観を
【図２】
、
【図３】
に示すが、フルカラーＬＥＤ（１）に制限抵抗又は定電流ダイオード（４）を直列に接続して
【図１】
、電池（２）又はＡＣアダプター（３）で電力を供給すると、一定周期で発光色が変化して点灯する。
【０００８】    フルカラーＬＥＤ（１）の発光が花弁（５）を透けるので、花弁の色が変化して見えるのである。このため使用する造花は白い花弁が適当である。
【０００９】    使用する花の種類は、フルカラーＬＥＤが丸見えにならないように例えばチューリップのようなＬＥＤを包み込む花弁のものが好ましい。
【０００１０】    ＬＥＤの消費電力は少ないので、
【図２】
に示す一輪挿しの場合は乾電池で十分実用できる。
【０００１１】    実施例
【図３】
に示すような複数個の花の場合は複数回路が並列接続になり、消費電力が増えるのでＡＣアダプター（３）等の電源回路を使用して商用電源から取るのが望ましい。
【０００１２】  この場合、同じフルカラーＬＥＤを複数個用いても、発振周期が個々の僅かなバラツキで、点灯時間と共に累積誤差が増大するため長時間点灯をする程、色が他の花と異なり、見ていると美しくて楽しいものである。
【０００１３】    使用するフルカラーＬＥＤにもよるが、変色範囲は３色から７色まで様々な変色造花の提供が可能になった。
【０００１４】  実施例では設置の安定のため、
【図２】
の一輪挿しに於いては電池（電池ＢＯＸ）（２）が重りの機能を果たす。
【０００１５】  同様に
【図３】
に於いては植木鉢（７）に重りの機能を果たせるセメント（９）等で造花の茎を固定した。
【０００１６】  趣向によっては
【図２】
【図３】
の（８）のように模擬苔を貼り付けるなどの工夫がある。
【０００１７】    フルカラーＬＥＤの変色速度が型式により様々あるので、本発明に於いてはゆっくり変化するものが、望ましい。
【発明の効果】
かかる発明で、従来の無味乾燥の固定色造花が、変色自発光することとなり、非常に美しく楽しく装飾効果は大である。
【図面の簡単な説明】
【図１】  電気結線回路図
【図２】  一輪挿し実施例外観図
【図３】  複数花実施例外観図
【符号の説明】
１，  フルカラーＬＥＤ
２，  電池もしくは電池ＢＯＸ
３，  ＡＣアダプター
４，  制限抵抗又は定電流ダイオード
５，  花弁
６，  電源スイッチ
７，  植木鉢
８，  疑似苔
９，  セメント
【図１】
2006225823.tif 000003
【図２】
2006225823.tif 000004
【図３】
2006225823.tif 000005
(57)【要約】【課題】幼児養育期における尿漏れは保護者にとって頭の痛い問題である。オムツをしていても体調により量にかなり差があり、そこから漏れ出す尿を日々防ぐのは困難である。またオムツを外す時期においても、いつ失禁するのかたえず監視する事は困難で、冬場などにおいては寝具の乾燥もままならず、親子共々重苦しい状況に陥ることとなる。介護を要する者を抱えた家族も同様、なかなか洗う事のできない寝具の保護は一刻も早く解決されるべき課題だと考える。【解決手段】防水加工を施した生地による安心パンツを通常のパジャマの上に重ねてはき、失禁の際の尿外部漏れだしを防ぐ。【選択図】図１
2006225822.tif 000002
【特許請求の範囲】
【請求項１】
防水加工を施した生地を使い縫製することを特徴とする就寝時重ね着ズボン型パンツ
【発明の詳細な説明】
【技術分野】
【０００１】  この発明は、防水加工を施した特殊素材による衣料品に関する。
【背景技術】
【０００２】児童養育期、就寝時における不測の尿漏れから寝具等の汚れを防ぐために防水シーツやオネショパッドを使用
【発明の開示】
【発明が解決しようとする課題】
【０００３】しかしながら、以上の技術によれば、上に掛けてある毛布やタオルケットへの尿染みこみや、何度も繰り返される寝返りによりシーツ・パッドの変形・移動等により結果、布団を汚し尿漏れによる寝具汚れ予防が困難である事に悩む。
そこで、この発明は、外に漏れ出た尿に対処する以前に内側で阻止し、汚れ物を極力減らし快適な幼児養育及び介護の手段を提供することを課題とする。
【課題を解決するための手段】
【０００４】  以上の課題を解決するために、第一発明は、尿による汚れを、防水加工を施した生地により縫製されたパンツの内側に限定することを特徴とする衣料品である。
【発明の効果】
【０００５】不測の尿漏れによる大量の洗濯物からの開放と寝具乾燥の手間の軽減
【発明を実施するための最良の形態】
【０００６】  この発明の一実施形態を、図１に示す。
安心パンツは防水加工生地を使用し三分〜五分丈ズボン型に縫い上げた衣料品である。切り端はロックかけとし、ウエストと裾の始末は別素材によるバイアス始末。【０００７】「実施形態の効果」
この実施形態によれば、通常のパジャマの上から安心パンツをはくだけで手間もかからず、就寝時、寝返りをうっても移動しても問題なく寝具等の汚れを防止する事ができる。【０００８】「他の実施形態」
図１の実施形態では、パンツの裾はストレートであるが、他の実施形態では、裾近くにゴムをいれたものでも良い。
【図面の簡単な説明】
【０００９】
【図１】この発明の一実施形態を示す斜視図である。
【図２】〃裏側である。
【符号の説明】
【００１０】１、本体生地    ２、バイアス    ３、ゴム
【図１】
2006225822.tif 000003
【図２】
2006225822.tif 000004
(57)【要約】【課題】  帽子、バイザー等のつばの大きさを必要に応じて広げられるように、つばの下に収納された別のつばを回転式に自由自在に出し入れする帽子、バイザー等頭部装身具のつば構造を提供する。【解決手段】  帽子、バイザー等のつば本体裏面の両隅に、回動可能に軸支された左右の回動つばを備え前記つば本体裏中央部に、該左右の回動つば一部を係止する係止部と前記左右のつばを引き出すときのストッパーを形成したことを特徴とする。【選択図】  図５
2006225825.tif 000002
【特許請求の範囲】
【請求項１】
帽子、バイザー等頭部装身具のつば本体裏面の両隅に、回動可能に軸支された左右の回動つばを備え、前記つば本体裏面中央部に、該左右の回動つばの一部を係止する係止部と、前記左右のつばを引き出すときのストッパーを形成したことを特徴とする帽子、バイザー等頭部装身具のつば構造。
【発明の詳細な説明】
【技術分野】
【０００１】  本発明は、帽子、バイザー等のつばの大きさを必要に応じて広げられるように、つばの下に収納された別のつばを回転式に自由自在に出し入れする帽子、バイザー等頭部装身具のつば構造に関するものである。
【背景技術】
【０００２】  従来の帽子、バイザーのつばは、デザイン重視で、つばの長さと幅が小さく山形に形成され、顔全体の防御が少なく額の部分のみ影で、つば本来の役割がほとんど果せてない。
【発明の開示】
【発明が解決しようとする課題】
【０００３】  そのために、次のような問題点があった。
帽子、バイザー等のつばをより大きくすれば、デザイン上、機能性という点から利用者が特定される問題があった。
本発明は、以上の問題点を解決しようとするものである。
【課題を解決するための手段】
【０００４】  帽子、バイザー等のつば本体裏面に、回動可能に軸支された左右の回動つばを備え前記つば本体裏面中央部に、該左右の回動つばの一部を係止する係止部と前記左右のつばを引き出すときのストッパーを形成した。
以上のように構成された帽子、バイザー等頭部装身具のつば構造である。
【発明の効果】
【０００５】  本発明は、つばの裏面に添って取り付けてあるため、デザインを変えることなく、指一本で、顔全体の防御が、約２倍となり機能性も向上する。
【発明を実施するための最良の形態】
【０００６】  以下、本発明の実施の形態を説明する。
（イ）つば本体（１）の両隅に、左右一対の取り付け穴（６）（６）を設ける。
（ロ）左右一対の回動つば（２Ａ）、（２Ｂ）を取り付け穴（６ａ）、（６ｂ）に、カシメ玉（３ａ）、（３ｂ）で取り付ける。
（ハ）左右の回動つば（２Ａ）（２Ｂ）は、図２で示すように、つば本体（１）の約半分の大きさに収まり、先端部位に突片（２ａ）、（２ｂ）を形成している。
（ニ）つば本体（１）の裏中央部に、布ビニール材の帯（４ａ）、（４ｂ）を２枚重ねて根元と先端を縫い付ける。
（ホ）帯（４ａ）、（４ｂ）を順に縫い付けた後、つば本体（１）の先側左右１カ所に回動つば（２Ａ）、（２Ｂ）の突片（２ａ）、（２ｂ）が係止できるように、左右一対のストッパー（５ａ）、（５ｂ）を設ける。
（ヘ）つば本体（１）と、２枚の帯（４ａ）、（４ｂ）の間に、左右回動つば（２Ａ）、（２Ｂ）を交互に差し込む。
本発明は、以上のような構成よりなっている。
本発明を使用するときは、指で左右の回動つば（２Ａ）、（２Ｂ）をつまみ引き出す。カシメ玉（３ａ）、（３ｂ）を支点に半回転し、ストッパー（５ａ）、（５ｂ）で止まる。
元の位置にもどす場合は、左右回動つば（２Ａ）、（２Ｂ）を指で、つば本体（１）に、押しもどす。
また、図６に示すように、元に左右の回動つば（２Ａ）、（２Ｂ）が、スムーズに、元にもどるために、帯（４ａ）、回動つば（２Ａ）、帯（４ｂ）、回動つば（２ｂ）を順に重ねる。
【図面の簡単な説明】
【０００７】
【図１】  本発明の平面図である。
【図２】  本発明の底面図である。
【図３】  本発明の使用状態を示す平面図である。
【図４】  本発明の使用状態を示す底面図である。
【図５】  本発明の使用状態を示す左側面図である。
【図５】  本発明のつばの一部を切り欠いた断面図である。
【符号の説明】
【０００８】１  つば本体
２Ａ  回動つば
２Ｂ  回動つば
２ａ  突片
２ｂ  突片
３ａ  かしめ玉
３ｂ  かしめ玉
４ａ  帯
４ｂ  帯
５ａ  ストッパー
５ｂ  ストッパー
６ａ  取り付け穴
６ｂ  取り付け穴
【図１】
2006225825.tif 000003
【図２】
2006225825.tif 000004
【図３】
2006225825.tif 000005
【図４】
2006225825.tif 000006
【図５】
2006225825.tif 000007
【図６】
2006225825.tif 000008
【手続補正書】
【提出日】平成17年4月19日(2005.4.19)
【手続補正１】
【補正対象書類名】明細書
【補正対象項目名】０００７
【補正方法】変更
【補正の内容】
【０００７】
【図１】本発明の平面図である。
【図２】本発明の底面図である。
【図３】本発明の使用状態を示す平面図である。
【図４】本発明の使用状態を示す底面図である。
【図５】本発明の使用状態を示す左側面図である。
【図６】本発明のつばの一部を切り欠いた断面図である。
(57)【要約】      （修正有）【課題】超極細繊維を使用して、冷糸・冷布を作る。【解決手段】超極細繊維に保冷剤を付着させ丸めて糸や布に。超極細繊維を筒状にして保冷剤を注入し糸や布に。超極細繊維の布と布保冷剤をはさみ布に。以上の冷糸・冷布を使い色々な用途の大きさ形に変化させ利用する。医療用の血管フィルターとして使用している布（繊維）なので実現可能。【選択図】なし【特許請求の範囲】
【請求項１】
冷糸
【請求項２】
冷布
【発明の詳細な説明】
【技術分野】
【０００１】本発明は、火傷・発熱・高温度の作業スポーツその他の時に人間又その他あらゆる物を冷やすために関する。
【背景技術】
【０００２】超極細繊維（ＮＨＫプロジェクトＸ）を使って。以下超極細繊維を繊維とと記載します。
【発明の開示】
【発明が解決しようとする課題】
【０００３】繊維にジェル状で固まらない保冷剤を付着させる物と筒状の布に保冷剤を注入した物、是を包帯にしたりタオル状に織ったり又編んだりする。
繊維で作った布に保冷剤を塗り布と布にはさんで布にする。
【課題を解決するための手段】
【０００４】通常保冷剤が繊維より外にはみ出て来ることが懸念されますが、医療用の血管フィルターとして使用している布（繊維）なので、ジェルははみださないと考えられる。
【発明の効果】
【０００５】家庭用・医療用・業務用・スポーツにも利用可能。
・現在使用している氷枕については他に使用用途はあまり無い、しかし繊維を使いタオル状にすれば自由に形を変化出来るのでたたむ、丸める、巻き付ける、かぶせる、包むなど発熱・火傷・多種多様。
・医療の面ではタオル状の大小中あれば製氷が少量で済む、丸めて体に添わせる事も又、包帯状には蛇腹に作りどの長さでも切断可能であれば指でも体でも可能で何重にも巻くことが出来る。
・布についてはマットとして使用する。
・冷糸を何本か合わせ（よる）毛糸のように編めば熱いところで働く人のヘルメットの下に編んだ帽子として、又消防士のベストなどにと用途はひろい。
以上を考えるとスポーツにも夏の安眠用のマットにとエヤコン入らずで地球に優しい。
【発明を実施するための最良の形態】
【０００６】
【実施例】
【０００７】冷糸（冷たい糸）【０００８】冷布（冷たい布）